(57)【要約】      （修正有）【課題】ネット状袋本体の開口部の開閉の操作性の改善を図った洗濯ネットを提供する。【解決手段】洗濯ネットＡは、洗濯物を入れるネット状袋本体１と、このネット状袋本体１の開口部２に設けられ、対向して位置する務歯３、４と、この務歯３、４を係止、非係止するスライダー５と、このスライダー５に取り付けられた引き手６と、この引き手６に装着され、引き手６より大きな略平板状の把持体７と、この把持体７の一方の面７１に形成された指の腹に当接する凹状部と、把持体７の他方の面７２にネット状袋本体１の使用用途を表示する凸形状の文字が付されているものである。【選択図】図２
0003113034.tif 000002
【実用新案登録請求の範囲】
【請求項１】
洗濯物を入れるネット状袋本体と、
このネット状袋本体の開口部に設けられ、対向して位置する務歯と、
この務歯を係止、非係止するスライダーと、
このスライダーに取り付けられた引き手と、
この引き手に装着され、前記引き手より大きな略平板状の把持体と、
この把持体の一方の面に形成された指の腹に当接する凹状部と、
前記把持体の他方の面に前記ネット状袋本体の使用用途を表示する凸形状の文字が付されていることを特徴とする洗濯ネット。
【請求項２】
洗濯物を入れるネット状袋本体と、
このネット状袋本体の開口部に設けられ、対向して位置する務歯と、
この務歯を係止、非係止するスライダーと、
このスライダーに取り付けられた引き手と、
この引き手に装着され、前記引き手より大きな略平板状の把持体と、
この把持体の一方の面に形成された指の腹に当接する凹状部と、
前記把持体の他方の面に前記ネット状袋本体の使用用途を表示する凹形状の文字が付されていることを特徴とする洗濯ネット。
【請求項３】
文字は、毛布、セーター、ワイシャツ、全自動、フリース、ブラジャー、下着の何れか一つであることを特徴とする請求項１又は２記載の洗濯ネット。
【考案の詳細な説明】
【技術分野】
【０００１】
本考案は、洗濯ネットに係り、特に、ネット状袋本体の開口部の開閉の操作性の改善を図った洗濯ネットに関する。
【背景技術】
【０００２】
従来、スライダーに取り付けられた引き手と、この引き手に装着され、前記引き手より大きな略平板状の把持体とを備えたものがある（例えば、特許文献１参照）。
しかしながら、把持体（特許文献１の装飾体）の両面は平坦面であり、時  として、把持体（特許文献１の装飾体）を指で摘んで引っ張る際、摩擦が小さいため、離脱しやすいという問題点があった。
【特許文献１】実公昭６１−４２４０３号公報（第１図、第２図）
【考案の開示】
【考案が解決しようとする課題】
【０００３】
本考案は、前記した問題点を除去するようにした洗濯ネットを提供することを目的としている。
【課題を解決するための手段】
【０００４】
前記した目的を達成するための請求項１記載の洗濯ネットは、洗濯物を入れるネット状袋本体と、このネット状袋本体の開口部に設けられ、対向して位置する務歯と、この務歯を係止、非係止するスライダーと、このスライダーに取り付けられた引き手と、この引き手に装着され、前記引き手より大きな略平板状の把持体と、この把持体の一方の面に形成された指の腹に当接する凹状部と、前記把持体の他方の面に前記ネット状袋本体の使用用途を表示する凸形状の文字が付されているものである。
【０００５】
また、請求項２記載の洗濯ネットは、洗濯物を入れるネット状袋本体と、このネット状袋本体の開口部に設けられ、対向して位置する務歯と、この務歯を係止、非係止するスライダーと、このスライダーに取り付けられた引き手と、この引き手に装着され、前記引き手より大きな略平板状の把持体と、この把持体の一方の面に形成された指の腹に当接する凹状部と、前記把持体の他方の面に前記ネット状袋本体の使用用途を表示する凹形状の文字が付されているものである。
【０００６】
また、請求項３記載の洗濯ネットは、請求項１又は２記載の洗濯ネットにおいて、文字は、毛布、セーター、ワイシャツ、全自動、フリース、ブラジャー、下着の何れか一つである。
【考案の効果】
【０００７】
請求項１記載の洗濯ネットによれば、指で略平板状の把持体をつまむ際、把持体の一方の面に形成された凹状部に一方の指の腹を、把持体の他方の面に付された凸形状の文字に他方の指の腹を、それぞれ当接させることができるため、把持体を指で摘んで動作させ易く、しかも、該凸形状の文字は、ネット状袋本体の使用用途を表示するため、使用勝手を向上させることができる。
【０００８】
又、請求項２記載の洗濯ネットによれば、指で略平板状の把持体をつまむ際、把持体の一方の面に形成された凹状部に一方の指の腹を、把持体の他方の面に付された凹形状の文字に他方の指の腹を、それぞれ当接させることができるため、把持体を指で摘んで動作させ易く、しかも、該凹形状の文字は、ネット状袋本体の使用用途を表示するため、使用勝手を向上させることができる。
【考案を実施するための最良の形態】
【０００９】
本考案の一実施例の洗濯ネットを図面を参照して説明する。
図１乃至図７において、Ａは洗濯ネットで、洗濯ネットＡは、洗濯物を入れるネット状袋本体１を有している。ネット状袋本体１には、図１及び図２に示すように、内部に洗濯物を出し入れする開口部２が、この開口部２には対向して位置する務歯３、４が、それぞれ設けられている。
【００１０】
５はスライダーで、スライダー５は、務歯３、４を係止、非係止するものである。このスライダー５には引き手６が取り付けられている。更に、この引き手６には、引き手６より大きな略平板状の把持体７が装着されている。把持体７の一方の面７１に指の腹に当接する凹状部７１ａが形成され、把持体７の他方の面７２にネット状袋本体１の使用用途を表示する凸形状の文字７２ａが付されている［凸形状の文字７２ａは、例えば『毛布』（図６及び図７参照）である。なお  、凸形状の文字７２ａは、図１乃至図５においては、省略されている。]。
また、引き手６への把持体７の装着は、図３乃至図５に示すように、例えば、引き手６の先端に設けられた突起部６１を把持体７の内部に設けられた通路７３の被係止部７３ａに係止することにより行われる。
【００１１】
その結果、図６に示すように、指で略平板状の把持体７をつまむ際、把持体７の一方の面７１に形成された凹状部７１ａに一方の指の腹を、把持体７の他方の面７２に付された凸形状の文字７２ａに他方の指の腹を、それぞれ当接させることができるため、把持体７を指で摘んで動作させ易く、しかも、該凸形状の文字７２ａは、ネット状袋本体１の使用用途を表示するため、使用勝手を向上させることができる。
【００１２】
なお、ネット状袋本体１の使用用途を表示する凸形状の文字７２ａは、本考案にあっては、図７記載の『毛布』に限らず、例えば、図８記載の『セーター』『ワイシャツ』『全自動』、図９記載の『セーター』、図示しない『フリース』、『ブラジャー』、『下着』であっても良い。
また、文字７２ａは凸形状としたが、本考案にあっては、これに限らず、図９記載の『セーター』のような凹形状でも良い。
【図面の簡単な説明】
【００１３】
【図１】図１は、本考案の一実施例である洗濯ネットの概略的斜視図である。
【図２】図２は、図１の洗濯ネットの一部を拡大して示す概略的一部拡大斜視図である。
【図３】図３（ａ）は、図２の把持体が引き手に装着する前の状態の概略的平面図であり、（ｂ）は図３（ａ）の概略的側面図である。
【図４】図４（ａ）は、図３の把持体が引き手に装着された状態の概略的平面図であり、（ｂ）は図４（ａ）の概略的側面図である。
【図５】図５（ａ）は、図１の把持体を一方の面から見た概略的斜視図であり、（ｂ）は図５（ａ）のＸ−Ｘ線による概略的断面図である。る。
【図６】図６は、図１の把持体を指で摘まんでいる状態の概略的側面図である。
【図７】図７は、図１の把持体を他方の面から見た概略的斜視図である。
【図８】図８（ａ）（ｂ）（ｃ）は、図７記載の把持体の他の実施例を示す概略的斜視図である。
【図９】図９は、図８（ａ）（ｂ）（ｃ）の把持体の他の実施例を示す概略的斜視図である。
【符号の説明】
【００１４】
Ａ    …………洗濯ネット
１    …………ネット状袋本体
２    …………開口部
３    …………務歯
４    …………務歯
５    …………スライダー
６    …………引き手
７    ………… 把持体
７１  ………… 一方の面
７１ａ…………凹状部
７２  …………他方の面
７２ａ…………凸形状の文字
【図１】
0003113034.tif 000003
【図２】
0003113034.tif 000004
【図３】
0003113034.tif 000005
【図４】
0003113034.tif 000006
【図５】
0003113034.tif 000007
【図６】
0003113034.tif 000008
【図７】
0003113034.tif 000009
【図８】
0003113034.tif 000010
【図９】
0003113034.tif 000011